(57)【特許請求の範囲】
【請求項１】
半球形の空間を有した回転表示体の底部と結合されて回転表示体の自転の回転中心となる表示軸と、表示軸を回転可能に支持する表示軸支柱と、表示軸支柱に結合されて回転表示体の公転の回転中心となる公転軸と、回転表示体を公転させる公転駆動機構と、回転表示体を自転させる自転駆動機構と、表示灯とを備え、表示灯が、回転表示体の半球形の空間の開口部経由で回転表示体を照明可能な位置に設けられたことを特徴とする遊技回転表示装置。  
【請求項２】
回転表示体が、光透過性の有る合成樹脂から構成されたことを特徴とする請求項１記載の遊技回転表示装置。  
【発明の詳細な説明】
【技術分野】
【０００１】
本発明は、公転・自転する回転表示体の照明が適正な遊技回転表示装置に関する。
【背景技術】
【０００２】
遊技回転表示装置には、次のような構造のものが知られている。それは、中空球体形状の回転表示体の内部に光源を設置し、光源への給電のための配線が回転表示器の外部から回転表示器を回転可能に支持する軸の内部を経由して光源に接続された構造である。しかしながら、配線が回転表示器の外部から軸の内部を経由して光源に接続された構造であるため、回転表示体の回転に伴い、配線が捩れるため、回転表示体の回転運動範囲が規制されるという欠点がある。また、光源を中空球体形状の回転表示体の外部で回転表示体を支持する装置躯体から光源支持体を立設し、光源支持体に光源を設置した構造も知られているが、光源が装置躯体から立設された光源支持体の上端部に設けられているため、光源支持体の振動で光源や配線が損傷を受けるという欠点がある。
【特許文献１】特許３２７８７０８号公報
【特許文献２】特開平５−２８５２７１号公報
【発明の開示】
【発明が解決しようとする課題】
【０００３】
発明が解決しようとする問題点は、回転表示体の照明が不適正であるという点である。
【課題を解決するための手段】
【０００４】
本発明の遊技回転表示装置は、半球形の空間を有した回転表示体の底部と結合されて回転表示体の自転の回転中心となる表示軸と、表示軸を回転可能に支持する表示軸支柱と、表示軸支柱に結合されて回転表示体の公転の回転中心となる公転軸と、回転表示体を公転させる公転駆動機構と、回転表示体を自転させる自転駆動機構と、表示灯とを備え、表示灯が、回転表示体の半球形の空間の開口部経由で回転表示体を照明可能な位置に設けられたことを最も主要な特徴とする。回転表示体が、光透過性の有る合成樹脂から構成されていることも特徴とする。
【発明の効果】
【０００５】
本発明の遊技回転表示装置は、半球形の空間を有した回転表示体の底部と結合されて回転表示体の自転の回転中心となる表示軸と、表示軸を回転可能に支持する表示軸支柱と、表示軸支柱に結合されて回転表示体の公転の回転中心となる公転軸と、回転表示体を公転させる公転駆動機構と、回転表示体を自転させる自転駆動機構と、表示灯とを備え、表示灯が、回転表示体の半球形の空間の開口部経由で回転表示体を照明可能な位置に設けられたので、表示灯からの光が、開口部から半球形の空間を経由して回転表示体を適切に照明することができるという利点がある。回転表示体が、光透過性の有る合成樹脂から構成されていれば、光源からの光が回転表示体に表示された基層や複数の図柄を鮮明に照明することがきるという利点がある。  
【発明を実施するための最良の形態】
【０００６】
図１−図３は一実施形態であって、図１は、回転表示体２５の一部を切除した遊技回転表示装置１の側面を示す。図２は、遊技回転表示装置１を主軸５の軸心に沿って切断した断面を示す。図３は、遊技回転表示装置１を分解して示す。
【０００７】
図３を参照し、遊技回転表示装置１の構成部材について説明する。遊技回転表示装置１は、装置躯体２、表示灯構造体３、回転表示構造体４、主軸５、公転駆動機構６、自転駆動機構７、公転位置検出器８、公転位置検体９、自転位置検出器１０、自転位置検体１１、太陽歯車１２、遊星歯車１３を備える。
【０００８】
装置躯体２は、円板状の躯体基板１５の周縁部より上方に突出した円形な周壁１６を備える。躯体基板１５には、主軸支柱１７と表示灯構造体３とが、設けられる。主軸支柱１７は、躯体基板１５の中心部に、躯体基板１５から上方に突出する。躯体基板１５の中心および主軸支柱１７の中心には、中心孔１８が、上下方向に貫通する。周壁１６には、配線孔１９が設けられる。配線孔１９は、周壁１６の上端から躯体基板１５の方向に窪み、周壁１６の内外に貫通する、溝形状である。表示灯構造体３は、環状の表示灯回路基板２０の上面に、複数の表示灯としてのＬＥＤ２１を実装した構造である。表示灯回路基板２０の内部孔２０ａは、太陽歯車１２の外径と略同一かまたは太陽歯車１２の外径よりも大きい。そして、表示灯回路基板２０が、主軸支柱１７と周壁１６との間に位置して、躯体基板１５の上面に固定される。躯体基板１５の外周縁部からは、検出器支柱２２が、下方に突出する。検出器支柱２２の下部からは、検出器取付部２３が、径方向外側に突出する。この検出器支柱２２および検出器取付部２３は、自転位置検出器１０を取り付けるものであって、公転位置検出器８を取り付ける検出器支柱および検出器取付部は図示を省略してある。
【０００９】
回転表示構造体４は、回転表示体２５を支える表示軸２６が、表示軸支柱２７の中心部に回転可能に嵌め込まれ、遊星歯車１３が表示軸２６から下方に突出した表示軸２６の下端部に固定された構造である。回転表示体２５は、光透過性の有る合成樹脂からなる半球形である。回転表示体２５の外側面には、全面を覆う乳白色の基層の上に種類の異なる複数の図柄が白色以外の色で表示される。基層および図柄は回転表示体の外側面に印刷される。複数の図柄は、例えば、「３」、「６」、「７」、「８」である。「３」と「７」とが、黄色で縁取りされた内側が赤色である。「６」が薄い青色で縁取りされた内側が濃い青色である。「８」が黒色の中に緑の線を有する縁取りされた内側が緑色である。回転表示体２５の内部は、半球形の底面から内部に窪む半球形の空間２５ａを形成する。表示軸支柱２７は、アルミニウム、アルミニウム合金、マグネシウム合金などの軽金属から構成され、斜めな直線的な棒状の表示軸装着部２８の上下方向中間部から、垂直な短柱形の公転軸結合部２９を、下方に突出した形態である。公転軸結合部２９の上下方向中心と表示軸装着部２８の斜め方向中心とが互いに斜めに交差する。回転表示体２５と表示軸支柱２７との間には、表示受体３０を備える。
【００１０】
主軸５は、内側の公転軸３２と外側の自転軸３３とを備える。直線棒状の公転軸３２が直線筒状の自転軸３３の内部に回転可能に嵌め込まれ、公転軸３２の上下端部が自転軸３３より上下に突出する。自転軸３３の下端部には、雄ねじの形成された雄ねじ部３４を有する。自転軸３３より下方に突出した公転軸３２の下端部には、雄ねじの形成された雄ねじ部３５を有する。
【００１１】
公転駆動機構６は、公転駆動源３７、公転駆動歯車３８、公転従動歯車３９を備える。公転駆動源３７は、躯体基板１５の下部に固定されたステップモータにより形成される。公転駆動歯車３８は、公転駆動源３７の出力軸（ステップモータの出力軸）に、固定される。つまり、公転駆動源３７の出力軸が駆動すると、公転駆動歯車３８が回転する。公転従動歯車３９は、円筒状の歯車基体４０の外周面に平歯車４１を形成した形態である。歯車基体４０の下端面には、公転位置検体９が、歯車基体４０から径方向外側に突出する。歯車基体４０は、上方に開口し、下端の塞がれた筒状である。歯車基体４０の下端を塞ぐ底部の中心には、公転軸挿入孔４２が、上下に貫通する。
【００１２】
自転駆動機構７は、自転駆動源４４、自転駆動歯車４５、自転従動歯車４６を備える。自転駆動源４４は躯体基板１５の下部に固定されたステップモータにより形成される。自転駆動歯車４５は、自転駆動源４４の出力軸（ステップモータの出力軸）に、固定される。つまり、自転駆動源４４の出力軸が駆動すると、自転駆動歯車４５が回転する。自転従動歯車４６は、円筒状の歯車基体４７の外周面に平歯車４８を形成した形態である。歯車基体４７の下端面には、自転位置検体１１が、歯車基体４７から径方向外側に突出する。歯車基体４７は、上方に開口し、下端の塞がれた筒状である。歯車基体４７の下端を塞ぐ底部の中心には、自転軸挿入孔４９が、上下に貫通する。
【００１３】
公転位置検出器８は、発光素子からの検出光を受光素子で受け取る、光透過非接触形であって、躯体基板１５の下部に取り付けられる。公転位置検体９は、外周縁部に、外周面から内部に窪む上下に貫通する複数のスリット５１を、周方向に等分配置に備える。そして、公転位置検出器８の発光素子と受光素子とが公転位置検体９の外周縁部を上下から挟む格好で、公転位置検出器８が公転位置検体９に対して配置され、公転位置検出器８の検出光が公転位置検体９の回転に伴いスリット５１を通過した場合と位置検体の外周縁部で遮断された場合とで、公転位置検出器８がオンオフ動作する。つまり、公転位置検出器８の検出光がスリット５１を通過するごとに、公転位置検出器８が位置検出信号を出力する。
【００１４】
自転位置検出器１０は、発光素子からの検出光を受光素子で受け取る、光透過非接触形であって、躯体基板１５の下部に取り付けられる。具体的には、自転位置検出器１０が検出器取付部２３に径方向外側から内側に嵌め込まれることで、自転位置検出器１０が検出器取付部２３に取り付けられる。
【００１５】
自転位置検体１１は、外周縁部に、外周面から内部に窪む上下に貫通する複数のスリット５２を、周方向に等分配置に備える。そして、自転位置検出器１０の発光素子と受光素子とが自転位置検体１１の外周縁部を上下から挟む格好で、自転位置検出器１０が自転位置検体１１に対して配置され、自転位置検出器１０の検出光が自転位置検体１１の回転に伴いスリット５２を通過した場合と位置検体の外周縁部で遮断された場合とで、自転位置検出器１０がオンオフ動作する。つまり、自転位置検出器１０の検出光がスリット５２を通過するごとに、自転位置検出器１０が位置検出信号を出力する。
【００１６】
太陽歯車１２は、上方から下方に窪む球面鏡形態の歯車基体５４の上外周縁部に傘歯車５５を形成し、歯車基体５４の中心に自転軸結合部５６を上方に突出した構造である。歯車基体５４の中心および自転軸結合部５６の中心には、自転軸取付孔５７が上下方向に貫通する。遊星歯車１３は、上方から下方に窪む球面鏡形態の歯車基体５９の上外周縁部に傘歯車６０が形成され、歯車基体５９の中心に表示軸結合部６１を上方に突出した構造である。歯車基体５９の中心および表示軸結合部６１の中心が表示軸２６を貫通させ、遊星歯車１３が表示軸２６に固定的に取り付けられる。この表示軸２６に取り付けられた遊星歯車１３が、自転軸３３に固定された太陽歯車１２に、噛み合わされる。
【００１７】
図２を参照し、遊技回転表示装置１の組立構造について説明する。表示灯回路基板２０が躯体基板１５から上方に突出した基板支柱６５の上に接触して搭載され、タッピングスクリューのような止ねじ６６が、表示灯回路基板２０から基板支柱６５に締結されることによって、表示灯構造体３が、装置躯体２に取り付けられる。主軸５が装置躯体２の主軸支柱１７の中心孔１８に嵌め込まれる。主軸支柱１７と主軸５との間には、上軸受６７と下軸受６８とが個別に装着される。主軸支柱１７より上方に突出した自転軸３３には、太陽歯車１２が外嵌装着される。この装着形態は、太陽歯車１２と自転軸３３とが、一緒に回転する構造である。
【００１８】
自転軸３３より上方に突出した公転軸３２には、表示軸支柱２７の公転軸結合部２９が、取り付けられる。具体的には、公転軸結合部２９には、公転軸取付孔７０が、公転軸結合部２９の下面から内部に窪む形態に形成される。この公転軸取付孔７０が、公転軸３２の上端部に、装着されることによって、表示軸支柱２７が公転軸３２に装着される。この装着形態は、例えばキーとキー溝とで表示軸支柱２７と公転軸３２とが、一緒に回転する構造である。このように表示軸支柱２７が公転軸３２に固定される場合、表示軸２６に固定された遊星歯車１３が、自転軸３３に固定された太陽歯車１２に噛み合わされる。表示軸支柱２７が公転軸３２に固定された場合、表示軸２６に固定された回転表示体２５は、装置躯体２と表示灯構造体３と主軸支柱１７および太陽歯車１２と、干渉しない配置構造になっている。
【００１９】
自転従動歯車４６の自転軸挿入孔４９が、躯体基板１５より下方に突出した自転軸３３に装着される。この場合、自転従動歯車４６の平歯車４８が、自転駆動歯車４５に、噛み合わされる。そして、ロックナット７２が、自転従動歯車４６より下方に突出した自転軸３３の雄ねじ部３４に、締結されることによって、自転従動歯車４６が、下軸受６８のインナーリングとロックナット７２とで挟まれて、自転軸３３と一緒に回転するように、自転軸３３に取り付けられる。
【００２０】
公転軸挿入孔４２が、自転軸３３より下方に突出した公転軸３２に装着される。この場合、公転従動歯車３９の平歯車４１が、公転駆動歯車３８に、噛み合わされる。そして、ロックナット７３が、公転従動歯車３９より下方に突出した公転軸３２の雄ねじ部３５に、締結されることによって、公転従動歯車３９が、公転軸３２と一緒に回転するように、公転軸３２に取り付けられる。公転駆動源３７のモータケースに固定されたモータ取付体７５は、躯体基板１５から下方に突出したモータ支柱７６に図外の止ねじで取り付けられる。自転駆動源４４のモータケースに固定されたモータ取付体７８は、躯体基板１５から下方に突出したモータ支柱７９に図外の止ねじで取り付けられる。
【００２１】
回転表示構造体４において、表示軸支柱２７の表示軸装着部２８と表示軸２６との間には、上下軸受８１；８２が装着される。表示軸２６における上軸受８１より上方に突出した上端部には、表示受体３０が、外嵌装着される。表示受体３０における回転表示体２５の内面中央を受け止める上面には、位置決め突起８３が突出する。回転表示体２５の中心部に形成された表示軸挿入孔８４が、表示受体３０より上方に突出する表示軸２６の上端部に、外側から嵌め込まれる。
【００２２】
そして、回転表示体２５に形成された位置決め孔８５が、位置決め突起８３に嵌め込まれ後、ナット８６が、回転表示体２５より上方に突出した表示軸２６の雄ねじ部８７に締結される。これによって、回転表示体２５が、ナット８６と表示受体３０とで挟まれて、表示軸２６に固定される。下軸受８２より下方に突出した表示軸２６の下端部には、スペーサ８８が外嵌装着される。遊星歯車１３の表示軸挿入孔８９が、下軸受８２より下方に突出した表示軸２６の下端部に嵌め込まれた後、ナット９０が、遊星歯車１３より下方に突出した雄ねじ部９１に締結される。これによって、遊星歯車１３が、ナット９０とスペーサ８８とで挟まれて、表示軸２６に固定される。表示軸装着部２８の斜め方向中心Ｌ１と公転軸結合部２９の上下方向中心Ｌ２との交差点９２は、回転表示体２５の自転公転の回転中心を構成する。
【００２３】
遊技回転表示装置１は、遊技盤１０１の裏面に木ねじなるタッピングスクリューのような止ねじ１０２で固定された部品取付体１０３に、取り付けられる。部品取付体１０３は、筒状の取付躯体１０４を備える。遊技盤１０１には、逃孔１０５が、取付躯体１０４の内部孔と対応する位置に、遊技盤１０１の表裏面に貫通する。遊技盤１０１の前面には、レンズ構造体１０７が、図外の木ねじなるタッピングスクリューのような止ねじで取り付けられる。レンズ構造体１０７の裏面からは、筒状の嵌合体１０８が、裏側に突出する。嵌合体１０８は、逃孔１０５および取付躯体１０４の内部に挿入される。取付躯体１０４の内周面と嵌合体１０８の外周面とは、互いに接触する。
【００２４】
そして、遊技回転表示装置１は、次のように取り付けられる。遊技回転表示装置１の回転表示構造体４が、取付躯体１０４の裏側から内部に挿入され、装置躯体２の周壁１６が取付躯体１０４の内部に取り込まれ、周壁１６より径方向外側に位置する躯体基板１５が、装置躯体２の裏端面に接触する。その状態において、図外のタッピングスクリューのような止ねじが、躯体基板１５から取付躯体１０４における図外の装置取付部に締結されることによって、遊技回転表示装置１が、遊技盤１０１に取り付けられる。このように遊技回転表示装置１が遊技盤１０１に取り付けられた状態において、回転表示体２５が、公転駆動源３７および自転駆動源４４で、公転と自転とを行う。この場合、回転表示体２５は、部品取付体１０３およびレンズ構造体１０７から離れ、部品取付体１０３およびレンズ構造体１０７と接触しない。
【００２５】
実施形態によれば、図２において、自転駆動源４４が停止し、公転駆動源３７が駆動すると、その駆動力が、公転駆動歯車３８、公転従動歯車３９を経由して公転軸３２を回転する。この公転軸３２の回転によって、表示軸支柱２７および表示軸２６が、公転軸３２と一緒に回転し、遊星歯車１３が、公転軸３２を中心に旋回する。この場合、遊星歯車１３が太陽歯車１２と噛み合っているので、遊星歯車１３は、旋回しつつ回転する。よって、回転表示体２５は、公転しつつ自転する。その状態において、自転駆動源４４が公転駆動源３７による遊星歯車１３の回転を相殺する方向に相殺する速度で駆動すると、その自転駆動源４４の駆動力が、自転駆動歯車４５、自転従動歯車４６を経由して自転軸３３を回転する。この自転軸３３の回転によって、太陽歯車１２が遊星歯車１３の回転が相殺する方向に回転する。この太陽歯車１２の回転によって、上記遊星歯車１３の回転が相殺される。これによって、回転表示体２５は、自転しないで、公転する。また、自転駆動源４４が公転駆動源３７による遊星歯車１３の回転を増長する方向に駆動すると、その自転駆動源４４の駆動力が、自転駆動歯車４５、自転従動歯車４６を経由して自転軸３３を回転する。この自転軸３３の回転によって、遊星歯車１３の回転が増長され、回転表示体２５は、公転しつつ高速で自転する。つまり、公転駆動源３７が駆動すると、自転駆動源４４の停止、駆動、駆動方向によって、回転表示体２５が、公転と自転とを行うか、公転を行う。公転駆動源３７が停止し、自転駆動源４４が駆動すると、その駆動力が、自転駆動歯車４５、自転従動歯車４６を経由して自転軸３３を回転する。この自転軸３３の回転によって、太陽歯車１２が回転する。この太陽は歯車１２の回転によって、遊星歯車１２が、旋回せずに回転する。これによって、回転表示体２５は、公転しないで、自転する。
【００２６】
実施形態の構造によれば、図１に示すように、回転表示体２５が半球形であって、回転表示体２５の内部が半球形の底面から内部に窪む半球形の空間２５ａを形成した構造である。そして、回転表示体２５の半球形の空間２５ａによる開口部２５ｂの下方には、表示灯構造体３が装置躯体２の周壁１６で囲まれた内部に配置されて躯体基板１５に取り付けられているので、表示灯構造体３におけるＬＥＤ２１からの光が、開口部２５ｂから半球形の空間２５ａを経由して回転表示体２５を適切に照明することができるという利点がある。配線孔１９が周壁１６の上端から躯体基板１５の方向に窪み、周壁１６の内外に貫通する、溝形状であるので、ＬＥＤ２１に電力を供給するために表示灯回路基板２０に接続された給電線３１が、配線孔１９を経由して装置躯体２の外部に引き出すことができる。これによって、装置躯体２の外部に引き出された給電線３１が、装置躯体２の下部に設けられた公転駆動機構６や自転駆動機構７と干渉することを防止することができるという利点がある。回転表示体２５が、光透過性の有る合成樹脂から構成されているので、ＬＥＤ２１からの光が、回転表示体２５に表示された基層や複数の図柄を鮮明に照明することがきるという利点がある。表示灯構造体３が、環状の表示灯回路基板２０の上面に、複数のＬＥＤ２１を実装した構造であるので、表示灯回路基板２０へに給電線３１の本数を最小本数とすることができるという利点がある。図２および図３に示すように、表示灯回路基板２０の内部孔２０ａが、太陽歯車１２の外径と略一かまたは太陽歯車１２の外径よりも大きいので、ＬＥＤ２１からの光が、太陽歯車１２で遮られる割合が減少し、回転表示体２５を、一層、鮮明に照明することができるという利点がある。
【産業上の利用可能性】
【００２７】
図２に示すように、部品取付体１０３の取付躯体１０４に配線孔１９と対応する配線孔１０９を形成しておき、遊技回転表示装置１が部品取付体１０３に取り付けられる場合、遊技回転表示装置１の外側に出ている給電線３１を取付躯体１０４の外側に引き出してもよい。
【図面の簡単な説明】
【００２８】
【図１】回転表示体を一部切除した遊技回転表示装置を示す側面図（一実施形態）。
【図２】遊技回転表示装置を示す断面図（同実施形態）。
【図３】遊技回転表示装置を示す分解斜視図（同実施形態）。
【符号の説明】
【００２９】
１      遊技回転表示装置
２      装置躯体
３      表示灯構造体
６      公転駆動機構
７      自転駆動機構
１２    太陽歯車
１５    躯体基板
１６    周壁
１９    配線孔
２０    表示灯回路基板
２１    ＬＥＤ
２５    回転表示体
２５ａ  空間
２５ｂ  開口部
２６    表示軸
３１    給電線
【図１】
0004531390.tif 000002
【図２】
0004531390.tif 000003
【図３】
0004531390.tif 000004